【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
デジタルデータ化された文書を配布するデジタルデータ文書配布方法において、前記文書を表示するディスプレイ装置の特性及び状態に合わせてレイアウトが変更される動的レイアウトデータ、及び予め設定された通りにレイアウトされる静的レイアウトデータを１つのデータファイルにまとめ、前記文書を前記ディスプレイ装置に表示する場合には前記１つのデータファイルの中から前記動的レイアウトデータを選択して当該選択された動的レイアウトデータを前記ディスプレイ装置に表示させると共に、前記文書をプリンタ装置で記録媒体に印刷する場合には前記１つのデータファイルの中から前記静的レイアウトデータを選択して当該選択された静的レイアウトデータを前記プリンタ装置に印刷させることを特徴とするデジタルデータ文書配布方法。
【請求項２】
前記動的レイアウトデータと前記静的レイアウトデータとを別々のデータファイルとして作成し、前記動的レイアウトデータと前記静的レイアウトデータとを圧縮しつつ１つのデータファイルにまとめ、当該１つのデータファイルの中から前記動的レイアウトデータ及び前記静的レイアウトデータの１つを取り出して展開することを特徴とする請求項１記載のデジタルデータ文書配布方法。
【請求項３】
前記１つのデータファイルが、前記静的レイアウトデータ及び前記動的レイアウトデータの各ファイル名を有する管理ファイルを圧縮した形で含み、当該所定のファイル名に基づいて前記動的レイアウトデータ又は前記静的レイアウトデータを選択することを特徴とする請求項２記載のデジタルデータ文書配布方法。
【請求項４】
前記動的レイアウトデータ及び前記静的レイアウトデータの少なくとも一方を暗号化し、前記動的レイアウトデータと前記静的レイアウトデータとの暗号化方式を異ならしめることを特徴とする請求項１から３のいずれか１項記載のデジタルデータ文書配布方法。
【請求項５】
前記動的レイアウトデータ及び前記静的レイアウトデータの少なくとも一方を暗号化し、前記動的レイアウトデータと前記静的レイアウトデータとの暗号化方式を同一とすることを特徴とする請求項１から３のいずれか１項記載のデジタルデータ文書配布方法。
【請求項６】
デジタルデータ化された文書を配布するデジタルデータ文書配布装置において、前記文書を表示するディスプレイ装置の特性及び状態に合わせてレイアウトが変更される動的レイアウトデータ、及び予め設定された通りにレイアウトされる静的レイアウトデータを１つのデータファイルにまとめるまとめ手段と、前記文書を前記ディスプレイ装置に表示する場合には前記１つのデータファイルの中から前記動的レイアウトデータを選択して当該選択された動的レイアウトデータを前記ディスプレイ装置に表示させると共に、前記文書をプリンタ装置で記録媒体に印刷する場合には前記１つのデータファイルの中から前記静的レイアウトデータを選択して当該選択された静的レイアウトデータを前記プリンタ装置に印刷させる選択手段とを備えることを特徴とするデジタルデータ文書配布装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
上述の目的を達成するために、請求項６記載のデジタルデータ文書配布装置は、デジタルデータ化された文書を配布するデジタルデータ文書配布装置において、前記文書を表示するディスプレイ装置の特性及び状態に合わせてレイアウトが変更される動的レイアウトデータ、及び予め設定された通りにレイアウトされる静的レイアウトデータを１つのデータファイルにまとめるまとめ手段と、前記文書を前記ディスプレイ装置に表示する場合には前記１つのデータファイルの中から前記動的レイアウトデータを選択して当該選択された動的レイアウトデータを前記ディスプレイ装置に表示させると共に、前記文書をプリンタ装置で記録媒体に印刷する場合には前記１つのデータファイルの中から前記静的レイアウトデータを選択して当該選択された静的レイアウトデータを前記プリンタ装置に印刷させる選択手段とを備えることを特徴とする。


【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２８
【補正方法】変更
【補正の内容】
【００２８】
次に、静的レイアウトデータ１１０を構成する静的レイアウト文書データ１１１及び静的レイアウト関連データ群１１２、及び動的レイアウトデータ１２０を構成する動的レイアウト文書データ１２１及び動的レイアウト関連データ群１２２は、配布文書データ作成装置１５０に入力され暗号化される（暗号化手段）。この暗号化処理は、暗号化と復号化に同一の鍵を用いる共通鍵暗号方式によって実行される。また、静的レイアウトデータ１１０と動的レイアウトデータ１２０とは同一の共通鍵暗号化方式で暗号化される。同様に、静的レイアウト文書データ１１１と動的レイアウト関連データ１１２とは同一の共通鍵暗号化方式で暗号化される。これにより、復号化の鍵暗号を同一のものとすることができ、その結果、配布文書データ１４０の配布の際に暗号化により動的レイアウトデータ１２０及び静的レイアウトデータ１１０の個別の利用制限、又は動的／静的レイアウト文書データ１１１，１２１及び動的／静的レイアウト関連データ１１２，１２２の利用制限を同一とすることができる。


【手続補正１２】
【補正対象書類名】明細書
【補正対象項目名】００２９
【補正方法】変更
【補正の内容】
【００２９】
別な方法として、静的レイアウトデータ１１０と動的レイアウトデータ１２０との共通暗号化方式を異ならしめてもよい。これにより、復号化の鍵暗号を別個に設定することができ、その結果、配布文書データ１４０の配布の際に暗号化により動的レイアウトデータ１２０及び静的レイアウトデータ１１０の個別の制限を行うことができる。


【手続補正１３】
【補正対象書類名】明細書
【補正対象項目名】００４３
【補正方法】変更
【補正の内容】
【００４３】
ここで、当該文書データが配布文書データ１４０でなければ、ステップＳ２０６に進み、通常の手順に従って文書データの表示処理を行う一方、配布文書データ１４０であれば、ステップＳ２０２に進み、管理ファイル１３０を参照して、配布文書データ１４０の中から、静的レイアウト文書データ１１１、及び例えば文書ファイル名等の静的レイアウト関連データ１１２から構成される静的レイアウトデータ１１０を取り出し、この取り出したデータを展開する。次いで、この展開されたデータが暗号化されているか否かを判別し（ステップＳ２０３）、暗号化されていなければ、ステップＳ２０６に進む一方、暗号化されていれば、この暗号化に用いられた共通鍵の入力を要求する（ステップＳ２０４）。


【手続補正１４】
【補正対象書類名】明細書
【補正対象項目名】００４４
【補正方法】変更
【補正の内容】
【００４４】
共通鍵が入力されると、上記ステップＳ２０２で取り出されたデータの復号化処理を行った（ステップＳ２０５）後、この復号化されたデータをプリンタ装置により印刷し（ステップＳ２０６）、本処理を終了する。


【手続補正１５】
【補正対象書類名】明細書
【補正対象項目名】００５３
【補正方法】変更
【補正の内容】
【００５３】
【発明の効果】
以上、詳細に説明したように、請求項１及び請求項６の発明によれば、文書をディスプレイ装置に表示する場合には１つのデータファイルの中から動的レイアウトデータを選択して当該選択された動的レイアウトデータをディスプレイ装置に表示させると共に、文書をプリンタ装置で記録媒体に印刷する場合には前記１つのデータファイルの中から静的レイアウトデータを選択して当該選択された静的レイアウトデータをプリンタ装置に印刷させるので、ディスプレイ装置には動的レイアウトデータにより柔軟で自由度の高い表現を行うことができ、プリンタ装置には高精緻・高品質な印刷能力を発揮させることができ、その結果、データを出力する出力装置に応じて適切なレイアウト形式のデータを選択して出力装置により出力させることができる。


【手続補正１６】
【補正対象書類名】明細書
【補正対象項目名】００５４
【補正方法】変更
【補正の内容】
【００５４】
請求項２の発明によれば、前記動的レイアウトデータと前記静的レイアウトデータとを別々のデータファイルとして作成し、前記動的レイアウトデータと前記静的レイアウトデータとを圧縮しつつ１つのデータファイルにまとめるので、各データの記憶媒体の必要容量及び各データの転送時間を低減することができる。


【手続補正１７】
【補正対象書類名】明細書
【補正対象項目名】００５５
【補正方法】変更
【補正の内容】
【００５５】
請求項３の発明によれば、１つのデータファイルが、静的レイアウトデータ及び動的レイアウトデータの各ファイル名を有する管理ファイルを圧縮した形で含み、当該所定のファイル名に基づいて動的レイアウトデータ又は静的レイアウトデータを選択するので、各データの選択等の管理を容易に行うことができる。


【手続補正１８】
【補正対象書類名】明細書
【補正対象項目名】００５６
【補正方法】変更
【補正の内容】
【００５６】
請求項４の発明によれば、動的レイアウトデータ及び静的レイアウトデータの少なくとも一方を暗号化し、動的レイアウトデータと静的レイアウトデータとの暗号化方式を異ならしめるので、文書の配布の際に暗号化により動的レイアウトデータ及び静的レイアウトデータの個別の利用制限を行うこと、即ち、復号化の鍵暗号を別個に設定することができる。


【手続補正１９】
【補正対象書類名】明細書
【補正対象項目名】００５７
【補正方法】変更
【補正の内容】
【００５７】
請求項５の発明によれば、動的レイアウトデータ及び静的レイアウトデータの少なくとも一方を暗号化し、動的レイアウトデータと静的レイアウトデータとの暗号化方式を同一とするので、復号化の鍵暗号を同一のものとすることができ、その結果、文書の配布の際に暗号化により動的レイアウトデータ及び静的レイアウトデータの利用制限を同一とすることができる。


【手続補正２０】
【補正対象書類名】明細書
【補正対象項目名】００５８
【補正方法】削除
【補正の内容】